(57)【要約】【課題】画像形成装置において、装置本体を覆う複数のカバーの開閉状態を検出するには、各カバー毎にスイッチを配設して行ことになるが、カバー毎にスイッチを設けるのは、部品点数の増加によるコストアップにつながった。一方、機構的に、一つのスイッチで２つのカバーが共に閉じている状態を検出するものがあるが、どちらかのカバーが開いている場合、そのカバーを特定することができなかった。【解決手段】レバー１０ａが押されている間「オン」状態となるスイッチ１０を装置本体２に配設し、レバー１０ａが嵌入可能な開口１１ｅを有する押圧板１１をアッパーカバー３に回動自在に配設し、この押圧板１１の回動を規制可能なガイド板１２をフロントカバー４に配設する。【選択図】        図１
2004154975.tif 000002
【特許請求の範囲】
【請求項１】
装置本体と該装置本体に開閉自在に保持された第１と第２の蓋体とを有する画像形成装置において、
前記第１と第２の蓋体の開閉状態を検出する検出手段と、
前記第１の蓋体と前記第２の蓋体の何れか一方に設けられ、前記検出手段が少なくも２つの状態を出力するように形成された第１の部材と
を有し、
前記第１と第２の蓋体が閉じられている状態で前記第１の蓋体と前記第２の蓋体の一方が開けられるとき、前記検出手段は前記第１の部材の移動に伴って第１の状態を出力し、
前記第１と第２の蓋体が閉じられている状態で前記第１の蓋体と前記第２の蓋体の他方が開けられるとき、前記検出手段は前記第１の状態と異なる第２の状態を出力することを特徴とする画像形成装置。
【請求項２】
装置本体と該装置本体に開閉自在に保持された第１と第２の蓋体とを有する画像形成装置において、
前記装置本体に配設されて、被押圧部が押されている間、「オン」、「オフ」の一方の状態となるスイッチと、
前記第１の蓋体に回動自在に保持されて、前記被押圧部に係合可能な係合部と係合不可能な非係合部とを有する押圧板と、
前記第２の蓋体に配設されて、前記押圧板の回動を規制可能な規制板と
を有し、
前記第１と第２の蓋体の一方が閉じている状態において、他方が開閉する過程における、前記被押圧部を押圧することによる前記スイッチの「オン」及び／又は「オフ」動作が、互いに異なるように構成したことを特徴とする画像形成装置。
【請求項３】
装置本体と該装置本体に開閉自在に保持された第１と第２の蓋体とを有する画像形成装置において、
前記第１の蓋体に配設されて、被押圧部が押されている間、「オン」、「オフ」の一方の状態となるスイッチと、
前記第２の蓋体に配設されて、前記被押圧部に係合可能な係合部と係合不可能な非係合部とを有する押圧板と
を有し、
前記第１と第２の蓋体の一方が閉じている状態において、他方が開閉する過程における、前記被押圧部を押圧することによる前記スイッチの「オン」及び／又は「オフ」動作が、互いに異なるように構成したことを特徴とする画像形成装置。
【請求項４】
装置本体と該装置本体に開閉自在に保持された第１と第２の蓋体とを有する画像形成装置において、
前記装置本体に配設されて、所定の領域における光の通過を検出する光検出手段と、
前記第１の蓋体に配設され、所定の光通過部を除いて、光路上で重なった際に遮光する性質の板状部材で形成された第１の遮光板と、
前記第２の蓋体に配設され、光路上で重なった際に遮光する性質の板状部材で形成された第２の遮光板と
を有し、
前記第１と第２の蓋体の一方が閉じている状態において、他方が開閉する過程における、前記所定の領域の光の通過を示す検出信号の検出パターンが互いに異なるように構成したことを特徴とする画像形成装置。
【請求項５】
前記第１と第２の遮光板が偏向板で形成されていることを特徴とする請求項４記載の画像形成装置。
【請求項６】
前記光検出手段が、
発光素子と受光素子とを有する光センサーと、前記発光素子で発光した光を反射する光反射板と
からなることを特徴とする請求項４記載の画像形成装置。
【請求項７】
前記光検出手段が、
発光部と受光部とを有し、これ等を所定のスリットが形成されるように配置した透過型光学センサーであることを特徴とする請求項４記載の画像形成装置。
【請求項８】
装置本体と該装置本体に開閉自在に保持された複数の蓋体とを有する画像形成装置において、
前記装置本体に配設されて、前記複数の蓋体のそれぞれに対応して配設される第１の接続端子からなる第１の接続端子群と、
前記装置本体に配設されて、第１の抵抗を介して前記第１の接続端子群に電圧を印加する電圧源と、
前記各複数の蓋体の各々において、各蓋体が閉じられる際に前記第１の接続端子群の対応する第１の接続端子と電気的に接続可能な位置に配設された第２の接続端子からなる第２の接続端子群と、
前記各複数の蓋体の各々において、各第２の接続端子とアース間に接続された抵抗からなる分圧抵抗群と、
前記装置本体に配設されて、前記第１の接続端子群の電圧情報を検出する電圧検出器と
を有することを特徴とする画像形成装置。
【請求項９】
前記複数の蓋体の各開閉状況に応じて、異なる電圧値の前記電圧情報が検出されるように、前記分圧抵抗群の各抵抗値を設定したことを特徴とする請求項８記載の画像形成装置。
【発明の詳細な説明】
【０００１】
【発明の属する技術分野】
本発明は、画像形成装置に関し、特に装置本体内部に対してアクセスするためのアッパーカバー及びフロントカバーが開閉可能に構成された画像形成装置に関する。
【０００２】
【従来の技術】
プリンタ、ファクシミリ、複写機等に代表される画像形成装置では、通常、装置本体に対してアクセスするためのアッパーカバー及びフロントカバーが開閉可能に構成されている。アッパーカバー及びフロントカバーは、紙詰まりの除去、消耗品の補給、或いは装置本体内に装着されているプロセスユニット等を交換する場合などに開閉され、カバーの開放状態で装置が駆動しないようにするため、カバーの開閉に連動して作動するスイッチが設けられている。そして例えば、カバーの開いた状態に対応してこのスイッチがオフとなっていると、電源と画像形成動作用機構部との接続が遮断される構成となっている。
【０００３】
図２０は、従来の画像形成装置における、アッパーカバー及びフロントカバーの第１の従来例としての開閉検出機構を示す要部構成図である。
【０００４】
画像形成装置１００の装置本体１０５には、アッパーカバー１０１及びフロントカバー１１０の各カバーにそれぞれ対向してスイッチ８２，８３が配設されている。スイッチ８２は、アッパーカバー１０１が閉じられるのに伴って、アッパーカバー１０１に配設された押圧突起８５によって、レバー８２ａが閉じられることによって閉成し、例えば「オフ」状態から「オン」状態となる。
【０００５】
同様にして、スイッチ８３は、フロントカバー１１０が閉じられるのに伴って、フロントカバー１１０に配設された押圧突起８６によって、レバー８３ａが閉じられることによって閉成し、「オフ」状態から「オン」状態となる。
【０００６】
従って、上記した第１の従来例では、これら２つのスイッチ８２，８３の「オフ」「オン」状態を監視することによって、アッパーカバー１０１及びフロントカバー１１０の開閉状態を監視することが可能となる。
【０００７】
一方図２１は、従来の画像形成装置における、アッパーカバー及びフロントカバーの第２の従来例としての開閉検出機構を示す要部構成図である。
【０００８】
画像形成装置１３０の装置本体１０５には、スイッチ８７が配設されると共に、装置本体１０５に植立するガイドピン９１を遊嵌する長孔９０ｂを有する押下部材９０がスライド可能に保持されている。この押下部材９０は、更にそのフック９０ａと装置本体１０５間に張架されたスプリング９２によって、矢印Ａ方向に付勢されている。
【０００９】
従って、押下部材９０は、アッパーカバー１０１が閉じられるのに伴って押圧突起８５に押されたとき、ガイドピン９１を中心に矢印Ｂ方向に回転するが、スイッチ８７のレバー８７ａを押下することはない。また、押下部材９０は、フロントカバー１１０が閉じられるのに伴って、押圧突起８６に押されたとき、ガイドピン９１を中心に矢印Ｃ方向に回転するが、この場合もスイッチ８７のレバー８７ａを押下することはない。
【００１０】
次に、アッパーカバー１０１及びフロントカバー１１０が共に閉じられると、押下部材９０は、押圧突起８５、８６によって押されることになり、これ等の合力によって、矢印Ａ方向の付勢に抗して矢印Ａの反対方向に移動することとなり、スイッチ８７のレバー８７ａを押下してこれを閉成し、「オフ」状態から「オン」状態とする。
【００１１】
従って、上記した第２の従来例では、一つのスイッチを採用することによって、アッパーカバー１０１及びフロントカバー１１０が共に閉じられた状態を検出することが可能となる。
【００１２】
【特許文献１】
特開平０７−１５６５０９号公報。
【００１３】
【発明が解決しようとする課題】
前記した第１の従来例の開閉検出機構では、開閉を監視するカバーごとにスイッチ等の開閉検出装置が必要になり、装置のコストアップにつながる欠点があった。
【００１４】
また、前記した第２の従来例の開閉検出機構では、開閉検出装置の数は少なくてすむが、２つの開閉カバーのうち、どちらが開いているのか認識できない欠点があった。
【００１５】
本発明の目的は、これ等の欠点を解消し、部品点数を少なくしてコストダウンを可能とするとともに、複数の開閉カバーの開閉状態を個々に確認することが可能な開閉検出機構を有する画像形成装置を提供することにある。
【００１６】
【課題を解決するための手段】
本発明による画像形成装置は、装置本体と該装置本体に開閉自在に保持された第１と第２の蓋体とを有する画像形成装置において、
前記第１と第２の蓋体の開閉状態を検出する検出手段と、前記第１の蓋体と前記第２の蓋体の何れか一方に設けられ、前記検出手段が少なくも２つの状態を出力するように形成された第１の部材と
を有し、
前記第１と第２の蓋体が閉じられている状態で前記第１の蓋体と前記第２の蓋体の一方が開けられるとき、前記検出手段は前記第１の部材の移動に伴って第１の状態を出力し、前記第１と第２の蓋体が閉じられている状態で前記第１の蓋体と前記第２の蓋体の他方が開けられるとき、前記検出手段は前記第１の状態と異なる第２の状態を出力することを特徴とする。
【００１７】
本発明による他の画像形成装置は、装置本体と該装置本体に開閉自在に保持された第１と第２の蓋体とを有する画像形成装置において、
前記装置本体に配設されて、被押圧部が押されている間、「オン」、「オフ」の一方の状態となるスイッチと、前記第１の蓋体に回動自在に保持されて、前記被押圧部に係合可能な係合部と係合不可能な非係合部とを有する押圧板と、前記第２の蓋体に配設されて、前記押圧板の回動を規制可能な規制板と
を有し、
前記第１と第２の蓋体の一方が閉じている状態において、他方が開閉する過程における、前記被押圧部を押圧することによる前記スイッチの「オン」及び／又は「オフ」動作が、互いに異なるように構成したことを特徴とする。
【００１８】
本発明による他の画像形成装置は、装置本体と該装置本体に開閉自在に保持された第１と第２の蓋体とを有する画像形成装置において、
前記第１の蓋体に配設されて、被押圧部が押されている間、「オン」、「オフ」の一方の状態となるスイッチと、前記第２の蓋体に配設されて、前記被押圧部に係合可能な係合部と係合不可能な非係合部とを有する押圧板と
を有し、
前記第１と第２の蓋体の一方が閉じている状態において、他方が開閉する過程における、前記被押圧部を押圧することによる前記スイッチの「オン」及び／又は「オフ」動作が、互いに異なるように構成したことを特徴とする。
【００１９】
本発明による他の画像形成装置は、装置本体と該装置本体に開閉自在に保持された第１と第２の蓋体とを有する画像形成装置において、
前記装置本体に配設されて、所定の領域における光の通過を検出する光検出手段と、前記第１の蓋体に配設され、所定の光通過部を除いて、光路上で重なった際に遮光する性質の板状部材で形成された第１の遮光板と、前記第２の蓋体に配設され、光路上で重なった際に遮光する性質の板状部材で形成された第２の遮光板と
を有し、
前記第１と第２の蓋体の一方が閉じている状態において、他方が開閉する過程における、前記所定の領域の光の通過を示す検出信号の検出パターンが互いに異なるように構成したことを特徴とする。
【００２０】
本発明による他の画像形成装置は、装置本体と該装置本体に開閉自在に保持された複数の蓋体とを有する画像形成装置において、
前記装置本体に配設されて、前記複数の蓋体のそれぞれに対応して配設される第１の接続端子からなる第１の接続端子群と、前記装置本体に配設されて、第１の抵抗を介して前記第１の接続端子群に電圧を印加する電圧源と、前記各複数の蓋体の各々において、各蓋体が閉じられる際に前記第１の接続端子群の対応する第１の接続端子と電気的に接続可能な位置に配設された第２の接続端子からなる第２の接続端子群と、前記各複数の蓋体の各々において、各第２の接続端子とアース間に接続された抵抗からなる分圧抵抗群と、前記装置本体に配設されて、前記第１の接続端子群の電圧情報を検出する電圧検出器と
を有することを特徴とする。
【００２１】
【発明の実施の形態】
実施の形態１．
図１は、本発明の画像形成装置による開閉検出機構の実施の形態１の要部構成を模式的に示すべく、斜め上方からみた部分斜視図である。
【００２２】
同図中、画像形成装置１は、装置本体２と、装置本体２の正面（矢印Ｇ方向から見た面に相当）下部で回動自在に保持された第２の蓋体に相当するフロントカバー４と、装置本体１の奥側の上部で回動自在に保持された第１の蓋体に相当するアッパーカバー３とを有する。
【００２３】
ここで、装置本体２及びアッパーカバー３に配設される画像形成部の構成について簡単に説明する。図１９は、装置本体２及びアッパーカバー３に配設された画像形成部の構成を矢印Ｇ方向（図１）からみた要部構成図である。
【００２４】
同図に示すように、画像形成部は、予め一様に帯電した感光ドラム１０３の表面に、アッパーカバー３に保持されたＬＥＤヘッドユニット１０２によって、画像データに応じた露光を行って静電潜像を形成する露光部と、感光ドラム１０３に対して帯電トナーを供給してトナー像を形成させるための現像部１０８と、感光ドラム１０３上に形成されたトナー像を用紙表面に転写するための転写ローラ１０６からなる転写部と、用紙表面に転写されたトナー像を定着させるための定着部１０９と、感光ドラム上の残余トナーを除去するためのクリーニング部（図示せず）と、用紙を供給するための供給ローラを有する給紙部１２０と、印刷した用紙をアッパーカバー３の上面に形成された用紙排出部１２２に搬送する用紙搬送部１２１とを備えている。
【００２５】
感光ドラム１０３、現像部１０８及び図示しないクリーニング部は、プロセスカートリッジ１０４として一体化され、記録紙の上流側から順に黄色（Ｙ）、マゼンタ（Ｍ）、シアン（Ｃ）、黒（Ｂ）用に４体配列されている。これらのプロセスカートリッジ１０４は、使用寿命に応じてアッパーカバー３を開閉して交換することができる。また、現像部１０８にトナーを供給するトナーカートリッジ１０４ａもアッパーカバーを開閉することによって交換可能に設けられている。
【００２６】
そして、給紙部１２０から搬送された用紙が途中でジャムとなった場合には、給紙部１２０から繰り出された直後のジャムの場合にはフロントカバー４（図１）を開閉することによりジャムとなった用紙を除去できるようになっている。また画像形成部まで至った用紙の除去は、アッパーカバー３（図１参照）を開閉してプロセスカートリッジ１０４を取り出すことによりジャムした用紙が除去できるようになっている。
【００２７】
図１に示すように装置本体１には、前記した画像形成部の他に、アッパーカバー３とフロントカバー４の開閉状態を監視するためのスイッチ１０が配設されている。アッパーカバー３の内側面には、所定幅ｗを有する長方形状の開口１１ｅが形成された押圧板１１の一端側が、後述するように、矢印Ｃ，Ｂ（図２参照）方向に回動自在に保持されている。フロントカバー４の内側面には、断面コ字状の規制板に相当するガイド板１２が、押圧板１１と係合可能な位置に配設されている。
【００２８】
図２は、図１に示すアッパーカバー３及びフロントカバー４がそれぞれ開いている状態でのスイッチ１０、押圧板１１、ガイド板１２の相対位置関係を模式的に示すべく、矢印Ｆ方向からみた要部構成図である。
【００２９】
同図に示すように、アッパーカバー３の回動保持部３ａによって回動自在に保持された押圧板１１は、ストッパ１４によって矢印Ｂ方向の回動が規制されると共に、アッパーカバー３との間に張架されたコイルスプリング１３によって、矢印Ｂ方向に付勢されている。従って、このとき押圧板１１は、同方向への付勢によって、ストッパ１４に圧接する状態で所定の回動位置に停止している。
【００３０】
このとき、スイッチ１０は、被押圧部に相当するレバー１０ａが開かれた状態にあって、「オフ」状態となっている。信号処理部１６は、スイッチ１０の状態を監視し、後述するように、アッパーカバー３とフロントカバー４の各カバーの開閉状態を判別する。
【００３１】
図３は、アッパーカバー３とフロントカバー４の各開閉時におけるスイッチ１０の「オン」「オフ」状態を説明するための説明図である。
【００３２】
図３（ａ）は、アッパーカバー３だけが閉じられたときの状態を示すが、この時、押圧板１１がスイッチ１０のレバー１０ａを押圧することがないため、スイッチ１０は「オフ」状態となっている。
【００３３】
図３（ｂ）は、フロントカバー４だけが閉じられたときの状態を示すが、この時、ガイド板１２の両突出し部１２ａ，１２ｂ（図１参照）が押圧板１１の枠部１１ａ，１１ｂ（図１）を押圧し、略垂直状態となる位置まで矢印Ｃ方向に回動する。しかしながら同図（ｂ）に示すように、押圧板１１は、スイッチ１０のレバー１０ａの上方にあって、これに作用することがないため、この時もスイッチ１０は「オフ」状態となっている。
【００３４】
図３（ｃ）は、アッパーカバー３とフロントカバー４が共に閉じられたときの状態を示すが、この時、ガイド板１２の両突出し部１２ａ，１２ｂ（図１参照）が押圧板１１の枠部１１ａ，１１ｂ（図１）を略垂直位置まで押圧し、更に押圧板１１の枠部１１ｃがスイッチ１０のレバー１０ａを押圧してスイッチ１０を「オン」状態としている。
【００３５】
図４は、アッパーカバー３とフロントカバー４とが開閉するときのスイッチ１０の動作タイミングを示すタイミング図であり、同図を参照しながらスイッチ１０の動作について以下に説明する。
【００３６】
同図（ａ）は、アッパーカバー３とフロントカバー４が共に閉じられた図３（ｃ）に示す状態から、アッパーカバー３が開けられた図３（ｂ）の状態に至るまでのスイッチ１０の動作タイミングを示している。このとき、押圧板１１は、略垂直状態を保ったまま上方へ移動するが、スイッチ１０は、この移動に伴ってスイッチレバー１０ａが押圧板１１の開口１１ｅに入り込むタイミングｔ１で「オフ」状態となり、再び押圧板１１の枠部１１ｄで押されるタイミングｔ２で「オン」状態となり、更にアッパーカバー３が開けられた図３（ｂ）のタイミングｔ３で「オフ」状態となる。
【００３７】
尚、開口１１ｅの幅ｗ（図１）は、このためにスイッチレバー１０ａの幅より広く設定され、ガイド板１２の突出し部１２ａ，１２ｂの高さｈは、スイッチレバー１０ａが開かれるのに充分な高さに設定されている。また、押圧板１１の枠部１１ｃ、１１ｄが係合部に相当し、開口１１ｅが非係合部に相当する。
【００３８】
図４（ｂ）は、アッパーカバー３とフロントカバー４が共に閉じられた図３（ｃ）に示す状態から、フロントカバー４が開けられた図３（ａ）の状態に至るまでのスイッチ１０の動作タイミングを示している。このとき、押圧板１１は、フロントカバー４の回動に伴って矢印Ｂ方向に回動し、スイッチレバー１０ａの押圧状態を解除するが、このタイミングｔ４でスイッチ１０が「オン」状態から「オフ」状態となる。
【００３９】
図４（ｃ）は、アッパーカバー３のみが開けられた図３（ｂ）の状態から、これが閉じられる図３（ｃ）に示す状態に至るまでのスイッチ１０の動作タイミングを示している。このとき、押圧板１１は、略垂直状態を保ったまま下方へ移動するが、スイッチ１０は、この移動に伴ってスイッチレバー１０ａが押圧板１１の枠部１１ｄで押されるタイミングｔ５で「オン」状態となり、その後押圧板１１の開口１１ｅに入り込むタイミングｔ６で「オフ」状態となり、更に押圧板１１の枠部１１ｃで押されてアッパーカバー３が閉じられた図３（ｃ）のタイミングｔ７で再び「オン」状態となる。
【００４０】
図４（ｄ）は、フロントカバー４のみが開けられた図３（ａ）の状態から、これが閉じられる図３（ｃ）に示す状態に至るまでのスイッチ１０の動作タイミングを示している。このとき、押圧板１１は、フロントカバー４の回動に伴って矢印Ｃ方向に回動し、スイッチレバー１０ａを押圧状態とするが、このタイミングｔ８でスイッチ１０が「オフ」状態から「オン」状態となる。
【００４１】
信号処理部１６は、図４に示すスイッチ１０の「オン」「オフ」パターンを監視することで、アッパーカバー３とフロントカバー４のどちらのカバーが開けられた状態にあるかを判断する。
【００４２】
以上のように、実施の形態１の開閉検出機構によれば、一つのスイッチを用いるのみで、アッパーカバー３及びフロントカバー４が共に閉じている状態の他、どちらのカバーが開いた状態にあるかを判断することが可能となる。
【００４３】
実施の形態２．
図５は、本発明の画像形成装置による開閉検出機構の実施の形態２の要部構成を模式的に示すべく、斜め上方からみた部分斜視図である。
【００４４】
この実施の形態２の開閉検出機構が前記した実施の形態１の開閉検出機構と異なる点は、アッパーカバーにスイッチ１０を配設し、フロントカバーに押圧板１１を配置し、更に装置本体２にはこの開閉検出機構に関係する機構部品が置かれていない点である。従って、その他の共通する箇所の構成には同符号を付して説明を省略し、異なる点を重点的に説明する。
【００４５】
画像形成装置２０の装置本体２には、前記した画像形成部が配設され、また図５に示すように、アッパーカバー３の内側面には、アッパーカバー３とフロントカバー４の開閉状態を監視するためのスイッチ１０が配設され、更にフロントカバー４の内側面には、幅ｈを有する長方形状の開口１１ｅが形成された押圧板１１が略垂直に保持されている。
【００４６】
図６は、図５に示すアッパーカバー３及びフロントカバー４がそれぞれ開いている状態でのスイッチ１０及び押圧板１１の相対位置関係を模式的に示すべく、矢印Ｆ方向からみた要部構成図である。
【００４７】
同図に示すように、このとき、スイッチ１０は、レバー１０ａが開かれた状態にあって、「オフ」状態となっている。信号処理部１６は、スイッチ１０の状態を監視し、後述するように、アッパーカバー３とフロントカバー４の各カバーの開閉状態を判別する。
【００４８】
図７は、アッパーカバー３とフロントカバー４の各開閉時におけるスイッチ１０の「オン」「オフ」状態を説明するための説明図である。
【００４９】
図７（ａ）は、アッパーカバー３だけが閉じられたときの状態を示すが、この時は、フロントカバー４に固定された押圧板１１がアッパーカバー３に固定されたスイッチ１０のレバー１０ａを押圧することがないため、スイッチ１０は「オフ」状態となっている。
【００５０】
図７（ｂ）は、フロントカバー４だけが閉じられたときの状態を示すが、この時も、押圧板１１がスイッチ１０のレバー１０ａを押圧することがないため、スイッチ１０は「オフ」状態となっている。
【００５１】
図７（ｃ）は、アッパーカバー３とフロントカバー４が共に閉じられたときの状態を示すが、この時、押圧板１１の枠部１１ｃがスイッチ１０のレバー１０ａを押圧してスイッチ１０を「オン」状態としている。
【００５２】
図８は、アッパーカバー３とフロントカバー４とが開閉するとき、スイッチ１０の動作タイミングを示すタイミング図であり、同図を参照しながらスイッチ１０の動作について以下に説明する。
【００５３】
同図（ａ）は、アッパーカバー３とフロントカバー４が共に閉じられた図７（ｃ）に示す状態から、アッパーカバー３が開けられた図３（ｂ）の状態に至るまでのスイッチ１０の動作タイミングを示している。このとき、スイッチ１０は、押圧板１１によるスイッチレバー１０ａの押圧状態から解除されるが、このタイミングｔ１でスイッチ１０が「オン」状態から「オフ」状態となる。
【００５４】
図８（ｂ）は、アッパーカバー３とフロントカバー４が共に閉じられた図７（ｃ）に示す状態から、フロントカバー４が開けられた図７（ａ）の状態に至るまでのスイッチ１０の動作タイミングを示している。このとき、押圧板１１は、やや向きを変えながら矢印Ｄ方向に移動するが、スイッチ１０は、この移動に伴ってスイッチレバー１０ａが押圧板１１の開口１１ｅに入り込むタイミングｔ２で「オフ」状態となり、再び押圧板１１の枠部１１ｄで押されるタイミングｔ３で「オン」状態となり、更に枠部１１ｄの押圧から開放されてアッパーカバー３が開けられた図７（ｂ）のタイミングｔ４で「オフ」状態となる。
【００５５】
図８（ｃ）は、アッパーカバー３のみが開けられた図７（ｂ）の状態から、これが閉じられる図７（ｃ）に示す状態に至るまでのスイッチ１０の動作タイミングを示している。このとき、スイッチ１０は、アッパーカバー３の回動に伴ってやや向きを変えながら矢印Ｅ方向に移動し、スイッチレバー１０ａを押圧状態とするが、このタイミングｔ５でスイッチ１０が「オフ」状態から「オン」状態となる。
【００５６】
図８（ｄ）は、フロントカバー４のみが開けられた図７（ａ）の状態から、これが閉じられる図７（ｃ）に示す状態に至るまでのスイッチ１０の動作タイミングを示している。このとき、押圧板１１は、やや向きを変えながら矢印Ｈ方向に移動するが、スイッチ１０は、この移動に伴ってスイッチレバー１０ａが押圧板１１の枠部１１ｄで押されるタイミングｔ６で「オン」状態となり、その後押圧板１１の開口１１ｅに入り込むタイミングｔ７で「オフ」状態となり、更に押圧板１１の枠部１１ｃで押されてアッパーカバー３が閉じされた図７（ｃ）のタイミングｔ８で再び「オン」状態となる。
【００５７】
信号処理部１６は、図８に示すスイッチ１０の「オン」「オフ」パターンを監視することで、アッパーカバー３とフロントカバー４のどちらのカバーが開けられた状態にあるかを判断する。
【００５８】
以上のように、実施の形態２の開閉検出機構によれば、前記した実施の形態１の開閉検出機構と同様の効果が得られる他、更に構成を簡単にできると共に、部品点数を減らすことができる。
【００５９】
実施の形態３．
図９は、本発明の画像形成装置による開閉検出機構の実施の形態３の要部構成を模式的に示す要部構成図である。
【００６０】
この実施の形態３の開閉検出機構が前記した実施の形態２の開閉検出機構と異なる点は、アッパーカバーに押圧板１１を配設し、フロンカバーにスイッチ１０を配置した点である。従って、その他の共通する箇所の構成には同符号を付し、或いはこれらの構成を示す図を省いて説明を省略し、異なる点を重点的に説明すると共に、必要に応じて実施の形態２の開閉検出機構を示す図６及び図７を参照する。
【００６１】
図１０は、アッパーカバー３とフロントカバー４とが開閉するとき、スイッチ１０の動作タイミングを示すタイミング図である。
【００６２】
同図（ａ）は、アッパーカバー３とフロントカバー４が共に閉じられた状態から、アッパーカバー３が開けられたときのスイッチ１０の動作タイミングを示す。このとき、スイッチ１０と押圧板１１の相対的な移動関係は、実施の形態２における図８（ｂ）の設定、即ち、アッパーカバー３とフロントカバー４が共に閉じられた図７（ｃ）に示す状態から、フロントカバー４が開けられた図７（ａ）の状態に相当するため、この場合の検出波形と同波形が得られる。
【００６３】
また図１０（ｂ）は、アッパーカバー３とフロントカバー４が共に閉じられた状態から、フロントカバー４が開けられたときのスイッチ１０の動作タイミングを示す。このとき、スイッチ１０と押圧板１１の相対的な移動関係は、実施の形態２における図８（ａ）の設定、即ち、アッパーカバー３とフロントカバー４が共に閉じられた図７（ｃ）に示す状態から、アッパーカバー３が開けられた図７（ｂ）の状態に相当するため、この場合の検出波形と同波形が得られる。
【００６４】
また図１０（ｃ）は、アッパーカバー３のみが開けられた状態から、これが閉じられるときのスイッチ１０の動作タイミングを示している。このとき、スイッチ１０と押圧板１１の相対的な移動関係は、実施の形態２における図８（ｄ）の設定、即ち、フロントカバー４のみが開けられた図７（ａ）の状態から、これが閉じられる図７（ｃ）に示す状態に相当するため、この場合の検出波形と同波形が得られる。
【００６５】
更に、図１０（ｄ）は、フロントカバー４のみが開けられた状態から、これが閉じられるときのスイッチ１０の動作タイミングを示している。このとき、スイッチ１０と押圧板１１の相対的な移動関係は、実施の形態２における図８（ｃ）の設定、即ち、アッパーカバー４のみが開けられた図７（ｂ）の状態から、これが閉じられる図７（ｃ）に示す状態に相当するため、この場合の検出波形と同波形が得られる。
【００６６】
以上のように、実施の形態３の開閉検出機構によれば、前記した実施の形態２の開閉検出機構と同様の効果を得ることができる。
【００６７】
実施の形態４．
図１１は、本発明の画像形成装置による開閉検出機構の実施の形態４の要部構成を模式的に示すべく、斜め上方からみた部分斜視図である。
【００６８】
この実施の形態４の開閉検出機構が前記した実施の形態１の開閉検出機構と異なる点は、アッパーカバー３に第１遮光板３１を配設し、フロントカバー４に第２遮光板３４を配置し、更に装置本体２に光センサー３２と光反射板３３とが配設されている点である。従って、その他の共通する箇所の構成には同符号を付して説明を省略し、異なる点を重点的に説明する。
【００６９】
図１１に示すように、画像形成装置３０の装置本体２の内部には、前記した画像形成部が配設されると共に、発光素子と受光素子とを有する光センサー３２とこの光センサー３２と対をなす光反射板３３とが、後述する所定位置に配設されている。またアッパーカバー３の内側面には第１遮光板３１が略垂直に保持され、フロントカバー４の内側面には第２遮光板３４が略垂直に保持されている。
【００７０】
図１２（ａ）は、図１１に示すアッパーカバー３及びフロントカバー４がそれぞれ開いている状態での第１と第２の遮光板３１，３４、及び光センサー３２と光反射板３３の相対位置関係を模式的に示すべく、矢印Ｆ方向からみた模式図であり、図１２（ｂ）は、図１１に示すアッパーカバー３及びフロントカバー４がそれぞれ閉じたときのこれ等の相対位置関係を模式的に示す部分斜視図である。
【００７１】
図１２（ａ）に示すように、第１遮光板３１は、２つの遮光部３１ａ，３１ｃとこの２つの遮光部の間に位置する光透過部３１ｂとからなり、第２遮光板３４は全ての部分が遮光部となっている。そして、この第１遮光板３１と第２の遮光板３４とは、光路上において互いの遮光部が重なった部分においてのみ、光を通さない性質を持つ。
【００７２】
また、第１と第２の遮光板３１，３４、及び光センサー３２と光反射板３３の相対位置関係は、アッパーカバー３及びフロントカバー４が閉じられるとき、図１２（ｂ）に示すように、第１及び第２の各遮光板３１，３４が光センサー３２と光反射板３３の間に並んで位置し、且つ第１遮光板３１の遮光部３１ａが光路上において、第２の遮光板３４と重なるように構成されている。
【００７３】
光センサー３２は、その発光素子から出射されて光反射板３３で反射した光を受光素子で受光する。信号処理部３５はこの受光状態を監視し、後述するように、アッパーカバー３とフロントカバー４の各カバーの開閉状態を判別する。
【００７４】
尚、光センサー３２と光反射板３３とが光検出手段に相当し、第１遮光板３１の光透過部３１ｂが所定の光通過部に相当する。
【００７５】
図１３は、アッパーカバー３とフロントカバー４の各開閉時における光センサー３２の受光状態を説明するための説明図である。尚、光センサー３２の受光素子が、その発光素子で発光して光反射板３３で反射した光を受光している状態を「オン」状態とし、受光していない状態を「オフ」状態として表す。
【００７６】
図１３（ａ）は、アッパーカバー３とフロントカバー４が共に開けられた図１２（ａ）の状態を示すが、この時は、光センサー３２と光反射板３３間には遮光すものがないため、光センサー３２は「オン」状態となっている。
【００７７】
図１３（ｂ）は、アッパーカバー３だけが閉じられたときの状態を示すが、この時も、光センサー３２と光反射板３３間の光路上には第１遮光板３１の遮光部３１ａが存在するだけなので、その遮光部３１ａを光が透過するため、光センサー３２は「オン」状態となっている。
【００７８】
図１３（ｃ）は、フロントカバー４だけが閉じられたときの状態を示すが、この時も、光センサー３２と光反射板３３間の光路上には第２遮光板３１のみ存在するため、光が遮光板３１を透過して光センサー３２は「オン」状態となっている。
【００７９】
図１３（ｄ）は、アッパーカバー３とフロントカバー４が共に閉じられたときの状態を示すが、この時は、光センサー３２と光反射板３３間の光路上に第１遮光板３１の遮光部３１ａと第２遮光板３４が存在するため、遮光されて光センサー３２は「オフ」状態となっている。
【００８０】
図１４は、アッパーカバー３とフロントカバー４とが開閉するとき、光センサー３２の動作タイミングを示すタイミング図であり、同図を参照しながら開閉検出機構の動作について以下に説明する。
【００８１】
同図（ａ）は、アッパーカバー３とフロントカバー４が共に閉じられた図１３（ｄ）に示す状態から、アッパーカバー３が開けられた図１３（ｃ）の状態に至るまでの光センサー３２の動作タイミングを示している。このとき、第１遮光板３１の光透過部３１ｂ及び遮光部３１ｃが、順次光センサー３２と光反射板３３間の光路上を横切ることとなるが、光透過部３１ｂが通過を開始するタイミングｔ１で光センサー３２が「オフ」状態から「オン」状態となり、遮光部３１ｃが通過を開始するタイミングｔ２で「オフ」状態となり、遮光部３１ｃが通過を終了するタイミングｔ３で再び「オン」状態となる。
【００８２】
図１４（ｂ）は、アッパーカバー３とフロントカバー４が共に閉じられた図１３（ｄ）に示す状態から、フロントカバー４が開けられた図１３（ｂ）の状態に至るまでの光センサー３２の動作タイミングを示している。このとき、第２遮光板３４が、光センサー３２と光反射板３３間の光路上から移動するが、この移動タイミングｔ４で光センサー３２が「オフ」状態から「オン」状態となる。
【００８３】
図１４（ｃ）は、アッパーカバー３１のみが開けられた図１３（ｃ）の状態から、これが閉じられる図１３（ｄ）に示す状態に至るまでの光センサー３２の動作タイミングを示している。このとき、第１遮光板３１の遮光部３１ｃ及び光透過部３１ｂが、順次光センサー３２と光反射板３３間の光路上を横切ることとなるが、遮光部３１ｃが通過を開始するタイミングｔ５で光センサー３２が「オン」状態から「オフ」状態となり、光透過部３１ｂが通過を開始するタイミングｔ６で「オン」状態となり、この光透過部３１ｂが通過を終了するタイミングｔ７で再び「オフ」状態となる。
【００８４】
図１４（ｄ）は、フロントカバー４のみが開けられた図１３（ｂ）の状態から、これが閉じられる図１３（ｄ）に示す状態に至るまでの光センサー３２の動作タイミングを示している。このとき、第２遮光板３４が、光センサー３２と光反射板３３間の光路上へ移動するが、この移動タイミングｔ８で光センサー３２が「オン」状態から「オフ」状態となる。
【００８５】
信号処理部３５は、図１４に示す光センサー３２の「オン」「オフ」パターンを監視することで、アッパーカバー３とフロントカバー４のどちらのカバーが開けられた状態にあるかを判断する。
【００８６】
以上のように、実施の形態４の開閉検出機構によれば、前記した実施の形態１の開閉検出機構と同様の効果が得られる他、スイッチのレバーを押下する機構に比べて、各部品の相対的な位置精度が厳しく要求されないため、その分製造時の作業性を向上できる。
【００８７】
実施の形態５．
図１５は、本発明の画像形成装置による開閉検出機構の実施の形態５の要部構成を模式的に示すべく、斜め上方からみた部分斜視図である。
【００８８】
この実施の形態５の開閉検出機構が前記した図１１に示す実施の形態４の開閉検出機構と異なる点は、アッパーカバー３に第１偏向板４１を配設し、フロントカバー４に第２偏向板４４を配設し、更に装置本体２に透過型光学センサー４２を配設した点である。従って、その他の共通する箇所の構成には同符号を付し、或いはこれらの構成を示す図を省いて説明を省略し、異なる点を重点的に説明すると共に、必要に応じて実施の形態４の開閉検出機構を示す図１１及び図１２を参照する。
【００８９】
図１５は、図１１に示すアッパーカバー３及びフロントカバー４がそれぞれ閉じたときの第１偏向板４１、第２偏向板４４、及び透過型光学センサー４２の相対位置関係を示す模式図であるが、同図に示すように、第１偏向板４１は、２つの偏向部４１ａ，４１ｃとこの２つの偏向部の間に位置する光透過部４１ｂとからなり、第２偏向板３４は全ての部分が偏向部となっている。そして、この第１偏向板３１と第２の変更板３４とは、光路上において互いの偏向部が重なった部分においてのみ、光を通さない性質を持つ。
【００９０】
また、第１と第２の偏向板４１，４４、及び光検出手段に相当する透過型光学センサー４２の相対位置関係は、図１５に示すように、アッパーカバー３或いはフロントカバー４のそれぞれが閉じられるとき、第１及び第２の各偏向板４１，４４が透過型光学センサー４２のスリット部４２ａに並んで位置し、且つ第１偏向板４１の偏向部４１ａが光路上において、第２の偏向板４４と重なるように構成されている。
【００９１】
透過型光学センサー４２は、そのスリット部４２ａを矢印Ｆ方向に横切る方向において光の発光及び受光を行い、信号処理部３５（図１２（ａ））はこの受光状態を監視し、後述するように、アッパーカバー３とフロントカバー４の各カバーの開閉状態を判別する。
【００９２】
図１６は、アッパーカバー３とフロントカバー４の各開閉時における透過型光学センサー４２の受光状態を説明するための説明図である。尚、受光している状態を「オン」状態とし受光していない状態を「オフ」状態として表す。
【００９３】
図１６（ａ）は、アッパーカバー３とフロントカバー４が共に開けられた状態を示すが、この時は、透過型光学センサー４２のスリット部４２ａに偏向するものがないため、透過型光学センサー４２は「オン」状態となっている。
【００９４】
図１６（ｂ）は、アッパーカバー３だけが閉じられたときの状態を示すが、この時も、スリット部４２ａに第１偏向板４１の偏向部４１ａが存在するだけなので、その偏向部４１ａを光が透過するため、透過型光学センサー４２は「オン」状態となっている。
【００９５】
図１６（ｃ）は、フロントカバー４だけが閉じられたときの状態を示すが、この時も、スリット部４２ａの光路上に第２偏向板４４のみ存在するだけなので、その第２偏向板４４を光が透過するため、透過型光学センサー４２は「オン」状態となっている。
【００９６】
図１６（ｄ）は、アッパーカバー３とフロントカバー４が共に閉じられたときの状態を示すが、この時は、スリット部４２ａの光路上に第１偏向板４１の偏向部４１ａと第２偏向板４４が存在するため、遮光されて透過型光学センサー４２は「オフ」状態となっている。
【００９７】
以上のように、アッパーカバー３とフロントカバー４の開閉の各状態を検出する基本原理は、前記した実施の形態４の開閉検出機構と全く同じであるため、アッパーカバー３とフロントカバー４とが開閉するとき、信号処理部３５が識別する透過型光学センサー４２の光検出動作タイミングも、前記した図１４に示すタイミング図と基本的に同じになるため、ここでの詳細な説明は省略する。
【００９８】
以上のように、実施の形態５の開閉検出機構によれば、前記した実施の形態４の開閉検出機構と同様の効果が得られる他、反射板が不要となるため、組み立て時に光センサーと反射板の取り付け精度を考慮する必要がなくなり、組み立て時の作業性を更に向上できる。
【００９９】
実施の形態６．
図１７は、本発明の画像形成装置による開閉検出機構の実施の形態６の要部構成を模式的に示す原理図である。
【０１００】
この実施の形態６の開閉検出機構が前記した実施の形態１の開閉検出機構と主に異なる点は、アッパーカバー３と装置本体２との間、及びフロントカバー４と装置本体２との間に、それぞれ開閉に応じて断続する電気的接続部を設けた点である。従って、その他の共通する箇所の構成には同符号を付し、或いはこれらの構成を示す図を省いて説明を省略し、異なる点を重点的に説明する。
【０１０１】
図１７において、画像形成装置５０の装置本体２には、電圧源５５が配設されている。この電圧源５５の出力部は、抵抗５２を介して接続端子５７及び接続端子５８にそれぞれ接続されている。各接続端子５７，５８は、抵抗５３を介してアースされると共に、信号処理部５６に接続されている。
【０１０２】
アッパーカバー３には、抵抗５１を介してアースされる接続端子５９が配設され、フロントカバー４には抵抗５４を介してアースされる接続端子６０が配設されている。
【０１０３】
接続端子５７と５９とは、アッパーカバー３が閉じているときのみ電気的に接続され、接続端子５８と６０とは、フロントカバー４が閉じているときのみ電気的に接続される。
【０１０４】
尚、上記構成において、抵抗５２が第１の抵抗に相当し、接続端子５７，５８が第１の接続端子群に相当し、接続端子５９，６０が第２の接続端子群に相当し、抵抗５１，５４が分圧抵抗群に相当し、信号処理部５６が電圧検出器に相当する。
【０１０５】
以上の構成において、その動作について以下に説明する。
【０１０６】
電圧源５５が電圧Ｖを出力するとき、アッパーカバー３、フロントカバー４が共に閉じている状態ａのとき、信号処理部５６には、電圧Ｖを、抵抗５２と抵抗５１，５３，５４の並列で分圧した電圧Ｖ１が検出される。
【０１０７】
また、アッパーカバー３、フロントカバー４が共に開いている状態ｂのとき、信号処理部５６には、電圧Ｖを、抵抗５２と抵抗５３で分圧した電圧Ｖ４が検出される。
【０１０８】
また、アッパーカバー３のみを閉じた状態ｃのとき、信号処理部５６には、電圧Ｖを、抵抗５２と抵抗５３，５１の並列で分圧した電圧Ｖ３が検出される。
【０１０９】
更に、フロントカバー４のみを閉じた状態ｄとき、信号処理部５６には、電圧Ｖを、抵抗５２と抵抗５３，５４の並列で分圧した電圧Ｖ２が検出される。
【０１１０】
従って、上記した各状態ａ，ｂ，ｃ，ｄで検出される電圧値が互い異なるように、例えば各抵抗の抵抗値を抵抗５３＝１ｋΩ、抵抗５４＝２ｋΩ、抵抗５１＝４ｋΩと各々設定することによって、図１８に示すようにアッパーカバー３及びフロントカバー４の各開閉状態ａ，ｂ，ｃ，ｄに応じて検出される電圧値が変化する。
【０１１１】
信号処理部３５は、検出される電圧ちからアッパーカバー３とフロントカバー４の各カバーの開閉状態を判別する。
【０１１２】
以上のように、実施の形態５の開閉検出機構によれば、各カバーの開閉状態によって異なる電圧レベルが検出できるため、全ての状態を認識することが可能となる。また、前記した各実施例のように、開閉動作の過程を認識するものと異なり、たとえ電源が一端遮断されたような場合でも、その後の立ち上げ時に、直ちに各カバーの開閉状態を検出することができる。
【０１１３】
【発明の効果】
本発明の画像形成装置によれば、１つのスイッチ等の検出手段を用いるのみで、二つの蓋体が共に閉じている状態の他、どちらの蓋体が開いた状態にあるのかを判断することができる。
【０１１４】
また、別の本発明の画像形成装置によれば、１つの光検出手段を用いるのみで、二つの蓋体が共に閉じている状態の他、どちらの蓋体が開いた状態にあるのかを判断することができる。
【０１１５】
更に別の本発明の画像形成装置によれば、各蓋体の開閉状態によって異なる電圧レベルが検出可能となり、各状態を認識できる。また、電源が一端遮断されたような場合でも、その後の立ち上げ時に、直ちに各蓋体の開閉状態を検出することが可能となる。
【図面の簡単な説明】
【図１】本発明の画像形成装置による開閉検出機構の実施の形態１の要部構成を模式的に示すべく、斜め上方からみた部分斜視図である。
【図２】図１に示すスイッチ１０、押圧板１１、ガイド板１２の相対位置関係を模式的に示す要部構成図である。
【図３】実施の形態１において、アッパーカバー３とフロントカバー４の各開閉時におけるスイッチ１０の「オン」「オフ」状態を説明するための説明図であり、（ａ）はアッパーカバー３だけが閉じられたときの状態、（ｂ）はフロントカバー４だけが閉じられたときの状態、（ｃ）は両カバーが共に閉じられているときの状態をそれぞれ示す。
【図４】実施の形態１において、アッパーカバー３とフロントカバー４とが開閉するときのスイッチ１０の動作タイミングを示すタイミング図である。
【図５】本発明の画像形成装置による開閉検出機構の実施の形態２の要部構成を模式的に示すべく、斜め上方からみた部分斜視図である。
【図６】図５に示すスイッチ１０及び押圧板１１の相対位置関係を模式的に示す要部構成図である。
【図７】実施の形態２において、アッパーカバー３とフロントカバー４の各開閉時におけるスイッチ１０の「オン」「オフ」状態を説明するための説明図であり、（ａ）はアッパーカバー３だけが閉じられたときの状態、（ｂ）はフロントカバー４だけが閉じられたときの状態、（ｃ）は両カバーが共に閉じられているときの状態をそれぞれ示す。
【図８】実施の形態２において、アッパーカバー３とフロントカバー４とが開閉するときのスイッチ１０の動作タイミングを示すタイミング図である。
【図９】本発明の画像形成装置による開閉検出機構の実施の形態３の要部構成を模式的に示す要部構成図である。
【図１０】実施の形態３において、アッパーカバー３とフロントカバー４とが開閉するときのスイッチ１０の動作タイミングを示すタイミング図である。
【図１１】本発明の画像形成装置による開閉検出機構の実施の形態４の要部構成を模式的に示すべく、斜め上方からみた部分斜視図である。
【図１２】（ａ）は、図１１に示す第１と第２の遮光板３１，３４、及び光センサー３２と光反射板３３の相対位置関係を模式的に示す模式図であり、（ｂ）は、アッパーカバー３及びフロントカバー４がそれぞれ閉じたときのこれ等の相対位置関係を模式的に示す部分斜視図である。
【図１３】実施の形態４において、アッパーカバー３とフロントカバー４の各開閉時における光センサー３２の受光状態を説明するための説明図であり、（ａ）は両カバーが共に開いているときの状態、（ｂ）はアッパーカバー３だけが閉じられたときの状態、（ｃ）はフロントカバー４だけが閉じられたときの状態、（ｄ）は両カバーが共に閉じられているときの状態をそれぞれ示す。
【図１４】実施の形態４において、アッパーカバー３とフロントカバー４とが開閉するときの光センサー３２の動作タイミングを示すタイミング図である。
【図１５】本発明の画像形成装置による開閉検出機構の実施の形態５の要部構成を模式的に示すべく、斜め上方からみた部分斜視図である。
【図１６】実施の形態４において、アッパーカバー３とフロントカバー４の各開閉時における光センサー４２の受光状態を説明するための説明図であり、（ａ）は両カバーが共に開いているときの状態、（ｂ）はアッパーカバー３だけが閉じられたときの状態、（ｃ）はフロントカバー４だけが閉じられたときの状態、（ｄ）は両カバーが共に閉じられているときの状態をそれぞれ示す。
【図１７】本発明の画像形成装置による開閉検出機構の実施の形態６の要部構成を模式的に示す原理図である。
【図１８】実施の形態６において、アッパーカバー３及びフロントカバー４の各開閉状態ａ，ｂ，ｃ，ｄに応じて検出される電圧値を示す説明図である。
【図１９】装置本体２及びアッパーカバー３に配設された画像形成部の構成を矢印Ｇ方向（図１）からみた要部構成図である。
【図２０】従来の画像形成装置における、アッパーカバー及びフロントカバーの第１の従来例としての開閉検出機構を示す要部構成図である。
【図２１】従来の画像形成装置における、アッパーカバー及びフロントカバーの第２の従来例としての開閉検出機構を示す要部構成図である。
【符号の説明】
１  画像形成装置、  ２  装置本体、  ３  アッパーカバー、  ３ａ  回動保持部、  ４  フロントカバー、  １０  スイッチ、  １０ａ  レバー、  １１  押圧板、  １１ａ，１１ｂ，１１ｃ，１１ｄ  枠部、  １１ｅ  開口、  １２  ガイド板、  １２ａ，１２ｂ  突出し部、  １３  コイルスプリング、  １４  ストッパ、  １６  信号処理部、  ２０  画像形成装置、  ３０  画像形成装置、  ３１  第１遮光板、  ３１ａ，３１ｃ  遮光部、  ３１ｂ  光透過部、  ３２  光センサー、  ３３  光反射板、  ３４  第２遮光板、  ３５  信号処理部、  ４１  第１偏向板、  ４１ａ，４１ｃ  偏向部、  ４１ｂ  光透過部、  ４２  透過型光学センサー、  ４２ａ  スリット部、  ４４  第２偏向板、  ５０画像形成装置、  ５１，５２，５３，５４  抵抗、  ５５  電圧源、  ５６  信号処理部、  ５７，５８，５９，６０  接続端子、  １０３  感光ドラム、  １０４  プロセスカートリッジ、  １０４ａ  トナーカートリッジ、  １０８  現像部、  １０９  定着部、  １２０  給紙部、  １２１  用紙搬送部、  １２２  用紙排出部。
【図１】
2004154975.tif 000003
【図２】
2004154975.tif 000004
【図３】
2004154975.tif 000005
【図４】
2004154975.tif 000006
【図５】
2004154975.tif 000007
【図６】
2004154975.tif 000008
【図７】
2004154975.tif 000009
【図８】
2004154975.tif 000010
【図９】
2004154975.tif 000011
【図１０】
2004154975.tif 000012
【図１１】
2004154975.tif 000013
【図１２】
2004154975.tif 000014
【図１３】
2004154975.tif 000015
【図１４】
2004154975.tif 000016
【図１５】
2004154975.tif 000017
【図１６】
2004154975.tif 000018
【図１７】
2004154975.tif 000019
【図１８】
2004154975.tif 000020
【図１９】
2004154975.tif 000021
【図２０】
2004154975.tif 000022
【図２１】
2004154975.tif 000023